(57)【要約】  システムは、ユーザがもう一人の人と、例えば、オーディオ、ビデオ、ディスプレイインターフェイス外部装置を経由して、通信することを可能とする。携帯機器は、典型的にはセルラー送受信器と典型的にはＢｌｕｔｏｏｔｈである短距離送受信器である二つのネットワーク送受信器を含む。動作中、ユーザは割り当てられたＩｄと共に外部装置のリストを用意し記憶する。ユーザが、選択された外部装置へのメッセージの配信のために、外部装置に関連付けられたセルラーネットワーク上のコンタクトの電話番号リスト（電話帳情報）を更に記憶する。携帯機器はネットワークをスキャンし、関連付けられたコンタクトソースからメッセージを検出する。このメッセージはＩＤによって記憶される。携帯機器が外部装置のカバーエリアにあるとき、携帯機器はメッセージを送信する。外部装置は、意図された受信者への出力のためにメッセージを解釈する。【選択図】図１
2007517449.tif 000002
【特許請求の範囲】
【請求項１】
携帯機器と外部装置との間で通信を行なうための方法であって、
ａ）少なくとも一つの外部装置ＩＤを含んだ外部装置リストを携帯機器内に記憶することと、
ｂ）少なくとも一つのコンタクトを少なくとも一つの外部装置ＩＤに関連付けるためのコンタクト情報を携帯機器に保持することと、
ｃ）少なくとも一つのコンタクトと少なくとも一つの外部装置ＩＤとの間の関連性を作成することと、
ｄ）ネットワークを通じて通信を受信するためのネットワーク接続を保持することと、
ｅ）外部装置ＩＤに関連付けられた少なくとも一つのコンタクトに関連するメッセージを識別するための受信された通信をスキャンすることと、
ｆ）短距離通信のためのＩＤを提供する外部装置を検出することと、
ｇ）前記外部装置の存在が検出されたときに、外部装置ＩＤに関連付けられた少なくとも一つのコンタクトに関連するメッセージを前記外部装置へ送信することと、
ｈ）適切な出力のために外部装置内でメッセージを解釈することと、
を含むことを特徴とする方法。
【請求項２】
ｉ）関連付けられた電話番号を使用して共にリンクされた複数の外部装置の間でメッセージを分配することをさらに含む請求項１に記載の方法。
【請求項３】
ｊ）受信メッセージに応答して外部装置においてプログラム可能なアクションを提供することをさらに含む請求項１に記載の方法。
【請求項４】
ｋ）外部装置に関連付けられたコンタクトソースに割り当てられた電話番号を変更することをさらに含む請求項１に記載の方法。
【請求項５】
ｌ）少なくとも二つの電話番号を一つの外部装置に割り当てることをさらに含む請求項１に記載の方法。
【請求項６】
前記ネットワークがセルラーネットワークであることを特徴とする請求項１に記載の方法。
【請求項７】
前記短距離ネットワークがＢｌｕｅｔｏｏｔｈであることを特徴とする請求項１に記載の方法。
【請求項８】
前記外部装置が、おもちゃ、アニメによるキャラクター表示、電子掲示板からなるグループから選択されることを特徴とする請求項１に記載の方法。
【請求項９】
アニメによるキャラクター表示におけるキャラクターが特定の電話番号に割り当てられることを特徴とする請求項８に記載の方法。
【請求項１０】
外部装置との通信を可能とする携帯端末であって、
ａ）セルラー通信ネットワークにおける通信を行なう機能を有するセルラーネットワーク送受信器と、
ｂ）短距離ネットワークにおいて外部装置と通信を行なう機能を有する短距離送受信器と、
ｃ）記録装置と、
ｄ）処理装置と、
ｅ）プロセッサ上で動作するソフトウェア手段であって、
１）記憶されたコンタクト情報のためのコンタクトパーティと前記コンタクトパーティとリンクされた少なくとも一つの外部装置とを識別するデータベースを記憶装置内に保持し、
２）前記識別されたコンタクトパーティに関連する通信を検出するために、セルラーネットワーク送受信器を経由して通信された通信をスキャンし、
３）前記識別されたコンタクトパーティに関連する通信を検出したときに、短距離送受信器を経由して、少なくとも一つの外部装置へ、識別されたコンタクトパーティとの通信に関連する情報を送信する、
ためのソフトウェア手段と、
を備えることを特徴とする携帯端末。
【請求項１１】
ｆ）コンタクトソースへの割り当てのための電話番号リストを保持する手段をさらに備える請求項１０に記載の携帯端末。
【請求項１２】
ｇ）コンタクトパーティのための通信に応答して、電話番号を外部装置へ割り当てる手段をさらに備える請求項１０に記載の携帯端末。
【請求項１３】
ｈ）適切な表示のために通信を解釈する外部装置における手段をさらに備える請求項１０に記載の携帯端末。
【請求項１４】
ｉ）短距離メッセージフォーマットにおける電話番号をフォーマットする手段をさらに備える請求項１０に記載の携帯端末。
【請求項１５】
ｊ）任意の外部装置が短距離送受信器のカバー範囲にあるか否かを検出する手段をさらに備える請求項１０に記載の携帯端末。
【請求項１６】
ｋ）少なくとも二つの電話番号を一つの外部装置に割り当てる手段をさらに備える請求項１０に記載の携帯端末。
【請求項１７】
ｌ）外部装置のＩＤを受信する手段をさらに備える請求項１０に記載の携帯端末。
【請求項１８】
ｍ）メッセージ内の受信された外部装置のＩＤを外部装置のためのデータベースにおけるＩＤとマッチングさせる手段をさらに備える請求項１０に記載の携帯端末。
【請求項１９】
ｎ）外部装置のために割り当てられた電話番号上で生じるアクティビティを監視する手段をさらに備える請求項１０に記載の携帯端末。
【請求項２０】
携帯端末が通信用に外部装置に個人的な電話番号を割り当てることを可能とするシステムであって、
ａ）ネットワーク送受信器と、短距離送受信器と、処理装置と情報を記憶するためのデータベースとを含む携帯端末と、
ｂ）短距離送受信器と、携帯機器から受信された情報を処理するための処理装置と、出力インターフェイスとを含む外部装置と、
ｃ）外部装置を識別するＩＤリストを記憶する手段と、
ｄ）ネットワークをスキャンし、ＩＤに関連する情報を収集する手段と、
ｅ）ＩＤによって収集された情報を記憶する手段と、
ｆ）収集された情報を、記憶された情報を有する前記ＩＤに関連付けられた外部装置へ配信する手段と、
を備えることを特徴とするシステム。
【請求項２１】
ｇ）外部装置の短距離カバーエリア内で携帯機器を外部装置へリンクする手段をさらに備える請求項２０に記載のシステム。
【請求項２２】
ｈ）外部装置のＩＤと記憶された情報のＩＤとをマッチングさせる手段をさらに備える請求項２０に記載のシステム。
【請求項２３】
ｉ）短距離ネットワークを経由して記憶された情報を、記憶された情報のＩＤにマッチングするＩＤに関連付けられた外部装置へ送信する手段さらに備える請求項２２に記載のシステム。
【請求項２４】
ｊ）適切な出力のために送信された記憶された情報を処理する外部装置手段をさらに備える請求項２３に記載のシステム。
【請求項２５】
コンピュータにおいて実行可能な、携帯機器と外部装置との間の通信を行なうための媒体であって、
携帯機器においてネットワーク上のコンタクトソースの情報を記憶するプログラム命令と、
携帯機器において記憶されたコンタクトソースと、外部機器のＩｄとの間の関連性を作成するプログラム命令と、
携帯機器においてコンタクトソースの電話番号またはインターネットアドレスを含んだ電話帳を割り当てて、記憶するプログラム命令と、
ＩＤに関連付けられたコンタクトソースからのメッセージのためにネットワークをスキャンするプログラム命令と、
関連付けられたＩＤを伴うテーブルにおけるメッセージを記憶するプログラム命令と、
を備えることを特徴とする媒体。
【請求項２６】
送信器のカバーエリア内において関連付けられた外部装置を発見するための短距離送信器をアクチベートするプログラム命令をさらに備える請求項２５に記載の媒体。
【請求項２７】
記憶されたメッセージをマッチングするＩｄを有する外部装置との短距離通信を確立するプログラム命令をさらに備える請求項２５に記載の媒体。
【請求項２８】
外部装置による解釈と出力モードの選択のために、少なくとも一つのコンタクトソースに関連するメッセージを外部装置へ送信するプログラム命令をさらに備える請求項２５に記載の媒体。
【請求項２９】
外部装置のＩｄに関連付けられたメッセージを収集し、メッセージの複数のコピーされる者のためのメッセージのコピーを用意するプログラム命令をさらに備える請求項２５に記載の媒体。
【請求項３０】
コピーされる者への分配のためにＩＤに関連付けられた外部装置へメッセージおよびコピーを送信するプログラム手段をさらに備える請求項２９に記載の媒体。
【発明の詳細な説明】
【技術分野】
【０００１】
本件国際出願は、その明細書全体が引用により組み込まれる「携帯機器を用いた通信用外部装置へのコンタクト情報の割り当てのためのシステム及び方法」と題名付けられた、２００３年１２月２２日出願の米国特許出願第１０／７４０，６２２号を基礎とする優先権を主張する。
【０００２】
１．発明の技術分野
本発明は通信システム方法、及びプログラム製品に関連する。さらにいうと、本発明は携帯機器を用いた通信用外部装置へのコンタクト情報の割り当てのためのシステム、方法およびプログラム製品に関連する。
【背景技術】
【０００３】
２．従来技術の記載
将来、携帯電話を用いた人の関係及び認識は、通信ニーズを提供する現在の形式から、単に携帯電話を経由して他者との関係を構築する、または、継続するように変化することが考えられる。既に多くの人々が、外出しているときおよび動き回っているときだけでなく、恒常的な個人的なコンタクトとしても、携帯電話に依存している。いくらかの人は、彼らの家で地上の通信線を切断し、もっぱら携帯電話に依存している。いくらかのオペレータは地上の通信線及び携帯電話の両方の番号とすることができる一つの番号を提供するための計画を持っている。ネットワークに配置され、ある人に関連付けられたコンタクトソースから外部装置へ通信をリンクすることによって、その人への接続を監視または感じるための追加的かつ個別の手段を携帯電話のユーザが有することを可能とすることが望ましいかもしれない。この外部装置は、例えば、オーディオ、ビデオ、ディスプレイ等のインターフェイスの手段によってその人へ関連付けられた通信を伝達する機能を有する。外部装置は、携帯機器によってそのＩＤに関連付けられたコンタクトソースを提供するネットワークから収集されたメッセージの配信のために、識別表示（Ｉｄ）を用いて識別することが望ましいかもしれない。Ｉｄによって識別される少なくとも一つの外部装置に関連付けられたメッセージの検出のための関連付けられたコンタクトソースに、電話番号を割り当てることが更に望ましいかもしれない。携帯機器が外部装置の通信範囲内にあったときは、ある人に関連付けられたメッセージを、Ｉｄによって、外部装置を経由してその人へ引き続く配信のために、携帯機器が記憶することを可能とすることがさらになお望ましいかもしれない。
【０００４】
外部装置の手段による、人に関連付けられたネットワーク上のメッセージを通信することに関連する先行技術としては、
１）「携帯感情的通知アプリケーション」と題名付けられた、２００２年６月６日公開のＵＳ２００２００８２０５４は、感情的通知システムを開示する。一方のパーティについての情報が、第２のパーティに関連付けられた一つ以上のデータ装置にしたがって、第１のパーティの端末に入力され、記憶される（第２のパーティから、第２のパーティへ、または第２のパーティについての電子メール、第２のパーティによって生じられたファイルなどのようなもの）。第１のパーティがインターフェースモジュールを通じて自身の端末をアクチベートする度に、第２のパーティに関連付けられたデータ手段、すなわち、通知メッセージが第２のパーティに送信され、第２のパーティは第１のパーティが第２のパーティに注意を向けていることに気付かされ、二つのパーティ間の接続を提供する。
２）２００２年６月２７日に発行された、「電気おもちゃ」と題名付けられたＵＳ２００２００８１９３７は、ユーザがすぐ近くに居るときに自動的にアクチベートする電気おもちゃを開示する。電気おもちゃは制御されることで外部の情報に反応し、おもちゃの機械的な動きを構成する動作機構、外部情報取得のための入力要素、装置本体が周囲に存在するか否かを識別するための識別要素、および複数の制御パラメータの間で選択するための制御要素を有する。この制御パラメータは識別結果に基づいた外部情報に対応する動作機構を制御し、人が周囲に存在するときには、その機構をアクチベートする。
【０００５】
（１）外部装置を経由して、ある人への次の配信のためのその人に関連付けられたネットワーク上のコンタクトソースからのメッセージを検出し記憶し、（２）ネットワーク上のＩｄに関連付けられたコンタクトソースからのメッセージの配信のための外部装置のＩｄを記憶し、（３）監視目的のためのコンタクトソースへの電話番号、またはインターネットアドレスを割り当て、（４）携帯機器が外部装置の通信範囲内であるとき、外部装置によってサーブ（ｓｅｒｖｅ）される人へ配信するために関連付けられた外部装置へコンタクトソースからメッセージを配信する、携帯機器を開示する先行技術はない。
【発明の開示】
【課題を解決するための手段】
【０００６】
通信システム、方法、装置及びプログラム製品は、ユーザが、外部装置、例えばオーディオ、ビデオ、ディスプレイインターフェイスを経由してもう一人の人と通信を行なうことを可能とする。外部装置を経由した人とのユーザの通信は、ユーザがその他の人に接触していると感じることを可能とする。外部装置は短距離送受信器、メモリ、メモリに記憶された適切な例えば、ソフトウェア、オーディオ、ビデオ、ディスプレイ等の出力インターフェイスを有する。このインターフェイスは、携帯機器から受信された通信のための動的な掲示板としてサーブする。携帯機器は、二つの無線ネットワークへの接続のための少なくとも二つのネットワーク送受信器、典型的には、セルラー送受信器、および短距離送受信器を有する。短距離送受信器は、好ましくは、少なくとも一つの外部装置への接続のためのＢｌｕｅｔｏｏｔｈである。通信のために、ユーザは連絡されるべき人をサーブする外部装置のリストを用意し、ＩＤを外部装置に割り当てる。外部装置のＩＤは携帯機器内に記憶される。ユーザは更に携帯機器内に、ネットワーク上のコンタクトの、および電話番号から選択された外部装置へメッセージの配信のために外部装置へ関連付けられた電話番号リスト（電話帳情報）を記憶する。ユーザはいくらかのまたはすべての電話番号さえある外部装置へ割り当てることが考えられる。これは、通信試行（メッセージ）がなされ、前記ユーザ（メッセージを送信する）に到達するときはいつでも、電話はこの試行を外部装置へ転送することを意味する。任意で、ユーザは電話リストにおいて割り当てられた電話番号を変更することができる。定期的に、携帯機器はネットワークをスキャンし、外部装置に関連付けられたコンタクトソースからメッセージを検出する。このメッセージは、外部装置のＩｄにしたがって携帯装置内に記憶される。携帯機器が外部装置の受信エリア内にあり、典型的にはＢｌｕｅｔｏｏｔｈである短距離接続が確立された場合、携帯機器はメッセージをこのメッセージに関連付けられた外部装置へ送信する。外部装置は、このメッセージを解釈し、例えば、オーディオ、ビデオ、ディスプレイ等の出力を意図された人へ提供する。
【０００７】
動作中、携帯機器は、外部装置の接続エリアへ入る。Ｂｌｕｅｔｏｏｔｈスキャン問合わせモードで動作中の携帯機器は、外部装置のＩｄを受信する。Ｉｄが携帯機器によって認識されたとき、携帯機器内に、外部装置のためのＩｄで記憶されたメッセージは、Ｂｌｕｅｔｏｏｔｈ接続を経由して関連付けられた外部装置へ送信される。このメッセージは、外部装置へ、Ｂｌｕｅｔｏｏｔｈ接続を経由した配信のための相性の良いメッセージフォーマットにおいて割り当てられた電話番号から送信される。「対となった」状態にある携帯機器へ接続されると、外部装置は、現在割り当てられている携帯装置以外の任意の携帯装置からメッセージを受信することはできない。もう一つの携帯装置への転送は、「対となった」携帯機器が対状態から外部装置を開放した場合のみ可能である。外部装置は、メッセージを解釈し、例えば、オーディオ、ビデオ、ディスプレイ等のメッセージを通信するためのモードを決定する。一つの実施形態においては、デスクトップの操り人形が外部装置としてサーブし、到来／発信コールおよびメッセージを表示または話すことができ、現在の存在可能性状態および関連付けられたコンタクトソースの通信頻度を提供する。もう一つの実施形態においては、電気スクリーンにおけるアニメによるキャラクターが外部装置としてサーブし、コールおよびメッセージが到来するユーザに通知するために、家庭環境において使用される、異なる電話番号が割り当てられる。さらにもう一つの実施形態において、大きなＬＥＤディスプレイが外部装置としてサーブし、公衆表示のために好ましいと考えられるメッセージの表示のために、ユーザに頻繁に接触する人の電話番号にリンクさせることができる。
【０００８】
本発明の態様は、外部装置を経由して、監視し、ある人に接続されていると感じるための追加的なおよび個別の手段を有する携帯電話である。
【０００９】
もう一つの態様は、人へのメッセージの配信のために、その人をサーブする外部装置のＩｄリストを記憶する携帯電話である。
【００１０】
もう一つの態様は、ある人をサーブする外部装置に関連付けられたコンタクトソースへの割り当てのための電話番号リストを設定するユーザである。
【００１１】
もう一つの態様は、外部装置のＩｄを伴うコンタクトソースの電話番号にリンクする携帯機器である。
【００１２】
もう一つの態様は、少なくとも一つのコンタクトまたはメッセージソースに関係し、外部装置Ｉｄに関連付けられたメッセージをネットワーク上でスキャンし、検出する携帯機器である。
【００１３】
もう一つの態様は、ネットワーク上のコンタクトソースからメッセージを選択し、コンタクトソースに関連付けられた人への配信のために外部装置Ｉｄによってメッセージを記憶する携帯機器である。
【００１４】
もう一つの態様は、出力インターフェイスを提供するにあたっての解釈のための少なくとも一つのコンタクトに関連する外部装置Ｉｄへメッセージを送信する携帯機器である。
【００１５】
もう一つの態様は、携帯機器から受信される情報を搬送する複数のモードを有する外部装置である。
【発明を実施するための最良の形態】
【００１６】
本発明は、添付された図面と併せて考慮される、以下の好ましい実施形態の詳細な説明から更に理解されるであろう。
【００１７】
図１は、システム１００を開示する。このシステム１００は、携帯機器（ＭＤ）１０４を操作するユーザがあるパーティ（図示せず）、例えば、友人１０６、家族１０８および仕事関係者１１０と、外部装置１１２及び１１４を経由して、それぞれ連絡することを可能とする。携帯機器は、コンタクトソース１１６−１２２からネットワーク接続１２４および短距離接続１２６を経由して外部装置１１２へ、友人、家族またはそういったコンタクトソースに関連付けられた者のために、メッセージを配信する。同様に、コンタクトソース１２０は、ネットワーク接続１２４、１２６を経由して、外部装置２へ、コンタクトソースに関連付けられた仕事関係者１１０のために、メッセージを配信する。コンタクトソースは、外部装置によってサーブされる人に関係するまたは興味のある情報を出力する電話ネットワークまたは分散情報ネットワークまたはＬＡＮ上の任意の端末であることが考えられる。このコンタクトは、ユーザによって電話番号を割り当てられ、そういった端末から到来するメッセージは、携帯機器によって認識される。一つの例において、メッセージは自身の旅行の状態を自身の家族に報告するビジネストラベラーであることが考えられる。もう一つの例では、メッセージは、ラジオやビデオ放送であって、その人が聞いていて、そのメッセージを受信することに興味を持っていることがお考えられる。外部装置においてある人に関連付けられたメッセージを検出するためにネットワークをスキャンし、そうすることでコンタクトソースに関連付けられた人と連絡を保つユーザの多くのその他の例を記述することができる。このメッセージは、さらに以下に記述されるように、外部装置によってサーブされるある人への配信のために、外部装置に関連付けられたＩＤへリンクされる。
【００１８】
携帯機器は、ネットワーク接続１２４によってネットワーク１２０に接続された第１の長距離送受信器を有する。短距離送受信器はこの携帯機器を外部装置１１２、１１４へ、典型的にはＢｌｕｅｔｏｏｔｈである短距離接続１２６、１２６’を経由して接続する。例えば、無線ＬＡＮ（ＷＬＡＮ）およびウルトラワイドバンド（ＵＷＢ）のようなその他の短距離接続もまた適用可能であることに注意されたい。ユーザは、各コンタクトソースに少なくとも一つの電話番号１２８、１２８’またはネットワークアドレス１３０を割り当てる。任意で、ユーザは一度割り当てた電話番号を変更することができる。テーブル１３２は、ユーザによって、携帯機器内に構築される。このテーブルは、例えば、ユーザによって割り当てられたコンタクトソースの電話番号およびインターネットアドレスのようなコンタクト情報を記録する。ユーザはまた、識別表示（Ｉｄ）を各外部装置に割り当て、テーブル１３４においてこのＩｄを記録する。このテーブル１３４におけるＩｄは、テーブル１３２の電話番号にリンクされる。
【００１９】
図２は、システム１００に含まれる外部装置１１２、１１４を代表する外部装置２００の詳細を説明する。外部装置２００は、受信者に例えば、オーディオ、ビデオ、ディスプレイ等の適切な出力を提供する幅広い製品とすることができる。外部装置２００の基本的な要素は、ＲＦアンテナ２０４および中央演算処理装置２０５へ接続される短距離送受信器２０２を有する。バスバー（ｂｕｓｂａｒ）２０８はＣＰＵをＲＡＭ２１０、ＲＯＭ２１２およびＩ／Ｏ回路２１４へ接続する。このＩ／Ｏ回路は、オーディオ出力２１６およびビジュアルまたはディスプレイ出力２１８を有する。ソフトウェアは、受信された通信を処理し、オーディオ出力またはディスプレイ出力をアクチベートするために、ＲＯＭにインストールされる。ディスプレイの場合、ソフトウェアは、携帯機器からの情報の受信に応答してプログラム可能なアクションを提供するためにＲＯＭに含まれる。
【００２０】
動作中、典型的にはＢｌｕｅｔｏｏｔｈ使用可能な短距離送受信器がアクチベートされることで、そのカバーエリア内、通常は１０メートル以内におけるすべてのＢｌｕｅｔｏｏｔｈ使用可能な装置を発見するために問合わせ処理が実施される。外部装置がカバーエリア内へ入ったとき、携帯機器は周波数ホップ同期パケットを供給し、外部装置が携帯機器と同期することを可能とする。携帯機器との接続を確立するために、外部装置は、ページステート（ｐａｇｅ  ｓｔａｔｅ）に入り、外部装置は、携帯機器に向けられたページングメッセージを送信する。携帯機器はこのページングメッセージに応答し、外部装置はＦＨＳパケットで応答する。携帯機器は、そのタイミングおよび同期リファレンスを更新し、外部装置との接続ステートに入る。
【００２１】
携帯機器と外部装置間のＢｌｕｅｔｏｏｔｈ接続を確立することについてのさらなる詳細が、教科書「Ｂｌｕｅｔｏｏｔｈ−無線接続」、ＪＢｒａｙ等、プレンティスホールＰＴＲ発行、アメリカ  ニュージャージー  アッパーサドルリバー、第２版、２００２年、第５章において記述されている。接続ステートへ入る際、様々なデータ変更が、携帯機器と外部装置間で生じる。外部装置は、携帯機器によって送信されたデータパケットを解釈し、要求に応じて、オーディオまたはディスプレイ出力のために、それをＩ／Ｏ信号へ翻訳する。受信された信号がデジタル音声信号を含む場合、その信号はオーディオ出力２１６へ向けられる。受信信号がテキストである場合、その信号はディスプレイ２１８へ向けられる。
【００２２】
一つの実施形態においては、図２Ａにおいて示されるように、外部装置が電気おもちゃ２２０、例えば、ディスプレイ２２２およびオーディオスピーカ２２４を含む人形であることが考えら得る。ＣＰＵ２０６（図２）の制御下にあるこのディスプレイ２２２は、到来／発信コールおよびメッセージ、コンタクトソースの時間的な存在可能ステータスおよびネットワーク１２０における関連付けられたコンタクト１１６、１１８の通信頻度が表示される。オーディオスピーカは、適切なソフトウェアを使用してＣＰＵによって変換されたデジタル信号からのオーディオ出力を提供する。
【００２３】
もう一つの実施形態においては、図２Ｂにおいて示されるように、外部装置は、フレーム２６１内のアニメによるキャラクター表示２６０であって、幾つかのキャラクター２６２、２６４を有し、そのそれぞれは、携帯機器によってコンタクトソースの電話番号に割り当てられることができる。アニメによるキャラクターは、家庭環境において、コール／メッセージが到来する携帯機器にとってのよりよい通知方法として使用され得る。ある特定のキャラクターが特定の番号またはコールグループに割り当てられることができる。一般的なキャラクターは、特定のキャラクターを割り当てられない残りの電話番号に対処するために提供されうる。ディスプレイから不在であった後にディスプレイを見ることで、あるユーザが新たな電話のコール、またはメッセージの通知をされることが考えられる。電話のコール／メッセージがない場合、キャラクターはゆっくりな、または静止した動作で関係する人の状態を表示することができる。ユーザは、フレームに含まれる電話アプリケーション（図示せず）においてキャラクターの振る舞いを設定することができる。
【００２４】
図２Ｃに示される、さらなるもう一つの実施形態においては、外部装置が、数およびアルファベットを表示し、ユーザと頻繁に連絡する関係者の電話番号にリンクするように構成された、大きなＬＥＤディスプレイ２６６であることが考えられる。コンタクトソースからテキストメッセージ１、２、３がスクロールするテキストによって受信者へ表示され得る。このディスプレイは、到来コール及びメッセージを通知するために光を点滅することができる。
【００２５】
図３は、外部装置３０８のカバーエリア内の図１に示された携帯機器１０４を代表する携帯機器３００を開示する。装置３００は、エアリンク３０６を経由してネットワーク端末３０４へ接続されるアンテナ３０２と、アンテナ３１０およびエアリンク３１２を経由して外部装置３０８に接続される第２のアンテナ３０６を含む。アンテナ３０２は、携帯機器内においてネットワーク送受信器３１４へ接続される。同様に、アンテナ３０６は、携帯機器内において短距離送受信器３１６へ接続される。トランシーバ２１４および３１６は、中央演算処理装置３２０への入力を提供するＩ／Ｏ回路３１８へ接続される。このＩ／Ｏは携帯機器に含まれるキーパッド３２１からの入力を含む。バスバー３２２はＣＰＵをＲＡＭ３２３およびＲＯＭ３２４へ接続する。典型的にはバッテリーである電源３２６は、携帯機器およびエアリンク３０６、３１２を経由したＲＦ信号の送信のためのエネルギーを提供する。
【００２６】
ＲＯＭ３２４は、図３Ａに示すオペレーティングソフトウェア３２８を記憶する。このオペレーティングソフトウェアは、オペレーティングシステム３３０、通信用のネットワーク１２０へ携帯機器を接続するためのネットワークプロトコル３３２、通信用の外部装置へ携帯機器を接続するためのＢｌｕｅｔｏｏｔｈプロトコル３３４、ネットワーク１２０上の外部装置に関連付けられたメッセージを収集するためのメッセージスキャン／検出ソフトウェア３３６、および様々な携帯機器機能を実行するためのアプリケーションソフトウェア３３８を含む。ＲＯＭはさらにテーブル３４０のための記憶領域を有する。このテーブル３４０は、ネットワークをスキャンした後に携帯機器によって受信された、およびテーブル１３２および１３４（図１）をマッチングした結果に基づいて外部装置１に関連付けられたメッセージ３４２をリストアップする。同様に、メッセージ２は、マッチングテーブル１３２および１３４に基づいて外部装置２に関連付けられる。幾つかの例においては、テーブル１３２および１３４のマッチングに従って複数の外部装置に関連付けられることが考えられる。
【００２７】
図４は、携帯機器（ＭＤ）がネットワーク上のコンタクトソースからのメッセージをコンタクトソースに関連付けられた人にサーブする外部装置へ通信することを可能とする以下の処理４００を記述する。
ステップ１：この処理は、外部装置の少なくとも一つのＩｄをＭＤに記憶するユーザによって開始される。
ステップ２：ユーザはネットワーク上のコンタクトソースのＭＤにおける情報を記憶する。
ステップ３：ユーザはＭＤにおいて記憶されるコンタクトソースと外部装置Ｉｄとの間の関連性を生成する。
ステップ４：ユーザは電話番号を含む電話帳またはコンタクトソースのインターネットアドレスを割り当て、ＭＤ内に記憶する。
ステップ５：ＭＤはＩｄに関連付けられたコンタクトソースからのメッセージのためにネットワークをスキャンする。
ステップ６：ＭＤは関連付けられたＩｄとともにテーブル内にメッセージを記憶する。
ステップ７：ＭＤは短距離送受信器をアクチベートすることで、送信器の受信器可能範囲内において関連付けられた外部装置を発見する。
ステップ８：ＭＤは記憶されたメッセージにマッチするＩｄを有する外部装置との短距離接続を確立する。
ステップ９：ＭＤは外部装置によって解釈し、例えば、オーディオ、ビデオ、テキスト等の出力を選択するために、Ｉｄとともに少なくとも一つのコンタクトソースに関連するメッセージを外部装置に送信する。
【００２８】
図５は、少なくとも一つの外部装置によってサーブされる複数のパーティへの分配のために、携帯機器がコンタクトソースからメッセージを受信することを可能とする、以下のもう一つの処理５００を開示する。
ステップ１：ＭＤはＩｄに関連付けられたメッセージのためにネットワークをスキャンする。
ステップ２：受信されたメッセージは、メッセージ上にコピーされるべき複数のパーティをリストアップする。
ステップ３：ＭＤは記憶された電話番号およびＩｄの電話帳へアクセスすることで、コピーを受信するためのパーティを識別する。
ステップ４：ＭＤはＩｄのためのメッセージのコピーを用意し、記憶する。
ステップ５：ＭＤは識別し、記録されたメッセージの送信のための外部装置においてＩｄへ接続する。
ステップ６：外部装置はメッセージを配信し、コピーされる者をサーブする外部装置へコピーする。
【００２９】
要約すると、ＭＤの拡張として設けられる各外部装置は、ＭＤへの接続性を有する。外部装置は、ＭＤから到来する情報を表示することができる一つかそれ以上のディスプレイ機能を有する。ＭＤが接続機構のエリア内のすぐ近くに運ばれ、電源がオンにされた場合、ＭＤが電話番号に関連付けられようとしている外部オブジェクトを識別することを予期する。外部装置がＭＤによって固有Ｉｄとともに認識され、ユーザは電話番号を電話帳の中の使用可能なものの中から選択する。この電話番号は、単一の番号の代わりに、発呼側グループやユーザが選択した複数の電話番号とすることができる。選択された電話番号は、認識されたＩｄとともに外部装置へリンクされる。
【００３０】
ＭＤにおいて、選択された電話番号に関連するアクティビティは、綿密に監視され、可能な限り、（ａ）到来／発信電話コール、メッセージ、（ｂ）存在可能情報等を含むロギングがされる。更に、その他のセンサがＭＤにおいて使用可能となったとき、例えば、アクティビティレベル（モーションセンサ）位置、将来の存在のようなその他のタイプの情報がアクセスされ、電話番号に関連して収集される。ＭＤにおけるアプリケーションソフトウェアは、リンクされた外部装置に関連する電話番号についてのデータを、接続が可能であり有効であるときはいつも選択する。ＭＤが外部装置へ送信される情報を決定するときに、このディスプレイ機能は考慮される。この情報は外部装置によって解釈されることで、適切な方法で表示されることができる。
【００３１】
本発明は、好ましい実施形態に関して説明されたが、本発明の精神及び範囲から逸脱することなく、添付された特許請求の範囲に定義されるように、様々な変更がその中でなされうる。
【図面の簡単な説明】
【００３２】
【図１】図１は、本発明の原理を組み込み、関連付けられた外部装置を経由して配信するために、ネットワーク上のメッセージをある人に関連付けられたコンタクトソースから検出することで携帯機器がその人と連絡を保つことを可能とするシステムを示したものである。
【図２】図２は、短距離通信システムにおいて機能する図１の外部装置のブロック図を示したものである。
【図２Ａ】図２Ａは、電気おもちゃに組み込まれた図２の外部装置を示したものである。
【図２Ｂ】図２Ｂは、アニメの表示に組み込まれた図２の外部装置を示したものである。
【図２Ｃ】図２Ｃは、電子掲示板に組み込まれた図２の外部装置を示したものである。
【図３】図３は、長距離ネットワーク及び外部装置のカバーエリア内のときに短距離送信リンクを経由して外部装置に接続された携帯機器を示したものである。
【図３Ａ】図３Ａは、図１のシステムを実行するための携帯機器に記憶されたソフトウェアを示したものである。
【図３Ｂ】図３Ｂは、外部装置Ｉｄによって携帯機器内に記憶されたメッセージテーブルを示したものである。
【図４】図４は、図１のシステムの一つの実施形態の動作のためのフローチャートである。
【図５】図５は、図１のシステムのもう一つの実施形態の動作のためのフローチャートである。
【図１】
2007517449.tif 000003
【図２】
2007517449.tif 000004
【図２Ａ】
2007517449.tif 000005
【図２Ｂ】
2007517449.tif 000006
【図２Ｃ】
2007517449.tif 000007
【図３】
2007517449.tif 000008
【図４】
2007517449.tif 000009
【図５】
2007517449.tif 000010
【国際調査報告】
2007517449.tif 000011